(57)【特許請求の範囲】
【請求項１】
用紙に印刷を行う印刷部と、
情報、データを記憶する記憶部と、
携帯通信装置と無線により通信し、通信エリア内の送信可能な前記携帯通信装置を自動的に検出する通信部と、
前記記憶部に記憶された情報のうち、予め定められた情報であり使用者の指示に基づき前記印刷部が印刷する情報である特定情報を、前記印刷部に印刷させる指示を行うための指示画面を表示する表示部と、
前記指示画面を表示させる操作と、表示された前記指示画面での操作を受け付ける操作部と、を含み、
前記表示部は、前記通信部により検出された前記携帯通信装置に向けて前記特定情報の送信を指示する送信キーを前記指示画面に表示し、
前記通信部により検出された前記携帯通信装置への前記送信キーへの操作に基づく前記特定情報の送信指示を前記操作部が受け付けたとき、
前記通信部は、前記通信部により検出された何れか１つの前記携帯通信装置に前記特定情報を送信し、
前記印刷部は、前記特定情報の送信にあわせて前記特定情報を印刷しないことを特徴とする画像形成装置。
【請求項２】
前記通信部が前記携帯通信装置を検出しているとき、前記表示部は、前記送信キーを前記指示画面に表示し、
前記通信部が前記携帯通信装置を検出していないとき、前記表示部は、前記送信キーを前記指示画面に表示せず、
前記通信部は、前記送信指示がなされると前記通信部により検出された何れか１つの前記携帯通信装置に前記特定情報を送信し、前記送信指示がなされなければ、前記携帯通信装置を検出していても前記特定情報を前記携帯通信装置に送信しないことを特徴とする請求項１に記載の画像形成装置。
【請求項３】
前記表示部は、印刷待ちの印刷ジョブの一覧のリストを表示するとともに、前記通信部が前記携帯通信装置を検出しているとき、前記リストの前記印刷待ちの印刷ジョブの表示箇所に前記送信キーを付す表示をし、前記通信部が前記携帯通信装置を検出していないとき、前記リストに前記送信キーを表示せず、
前記操作部は、前記送信キーへの操作を前記印刷待ちの印刷ジョブの内容を前記特定情報とする前記送信指示として受け付け、
前記通信部は、操作された前記送信キーに対応する前記印刷待ちの印刷ジョブの内容を前記特定情報として前記通信部により検出された何れか１つの前記携帯通信装置に送信し、前記送信指示がなされなければ、前記携帯通信装置を検出していても前記特定情報を前記携帯通信装置に送信せず、
前記印刷部は、前記送信指示がなされた前記印刷待ちの印刷ジョブを印刷しないことを特徴とする請求項１又は２に記載の画像形成装置。
【請求項４】
前記指示画面での前記特定情報の印刷実行の指示の操作がなされたとき自動的に前記特定情報を送信する設定が前記操作部になされている場合、
前記通信部は、前記特定情報の印刷実行の指示の操作がなされたとき、印刷実行の指示がなされた前記特定情報を前記通信部により検出された何れか１つの前記携帯通信装置に送信し、
前記印刷部は、前記携帯通信装置に送信された前記特定情報を印刷しないことを特徴とする請求項１に記載の画像形成装置。
【請求項５】
前記操作部が前記指示画面での前記特定情報の印刷実行の指示を受け付けたとき、
前記通信部は、予め定められた条件が満たされているときのみ、印刷の実行が指示された前記特定情報を前記通信部により検出された何れか１つの前記携帯通信装置に送信し、
前記予め定められた条件は、エラーにより印刷が停止していることと、前記特定情報の印刷ジョブの前に実行待ちの印刷ジョブがあることの何れか一方、又は、両方であることを特徴とする請求項４に記載の画像形成装置。
【請求項６】
前記通信部は、検出した前記携帯通信装置から前記携帯通信装置のメールアドレスを取得し、前記携帯通信装置への前記特定情報の送信が完了する前に通信が切断されたとき、前記特定情報のうち切断による送信未完了部分の前記特定情報、又は、切断により送信未完了となった前記特定情報の全てを含むメールを、所得しておいたメールアドレスに送信することを特徴とする請求項１乃至５の何れか１項に記載の画像形成装置。
【請求項７】
前記通信部は、検出した前記携帯通信装置から１又は複数の代替送信先を取得し、前記携帯通信装置への前記特定情報の送信が完了する前に通信が切断されたとき、前記特定情報のうち切断による送信未完了部分の前記特定情報、又は、切断により送信未完了となった前記特定情報の全てを、１つの又はそれぞれの前記代替送信先に送信することを特徴とする請求項１乃至６の何れか１項に記載の画像形成装置。
【請求項８】
前記記憶部は、前記携帯通信装置への前記特定情報の送信が完了する前に通信が切断されたとき、切断により送信未完了の前記特定情報を記憶しておき、
前記通信部は、前記特定情報の送信が未完了の前記携帯通信装置を再検出したとき、送信未完了の前記特定情報を再検出した前記携帯通信装置に再送信することを特徴とする請求項１乃至７の何れか１項に記載の画像形成装置。
【請求項９】
前記印刷部は、前記携帯通信装置への前記特定情報の送信が完了する前に通信が切断されたとき、前記特定情報のうち切断による送信未完了部分の前記特定情報、又は、切断により送信未完了となった前記特定情報の全てを、印刷することを特徴とする請求項１乃至７の何れか１項に記載の画像形成装置。
【請求項１０】
前記携帯通信装置への前記特定情報の送信が完了する前に通信が切断されたとき、
前記表示部は、前記特定情報の送信が未完了である旨を表示することを特徴とする請求項１乃至９の何れか１項に記載の画像形成装置。
【請求項１１】
前記操作部は、前記携帯通信装置を登録する設定を受け付け、
前記記憶部は、登録された前記携帯通信装置を示すデータを記憶し、
前記通信部は、前記通信部により検出された前記携帯通信装置のうち、予め登録された前記携帯通信装置に向けて前記特定情報を送信することを特徴とする請求項２乃至１０の何れか１項に記載の画像形成装置。
【請求項１２】
前記操作部は、複数の検出された前記携帯通信装置のなかから何れの前記携帯通信装置に前記特定情報を送信するかを選択する入力を受け付け、
前記通信部は、複数の前記通信部により検出された前記携帯通信装置のうち、選択された前記携帯通信装置に前記特定情報を送信することを特徴とする請求項２乃至１０の何れか１項に記載の画像形成装置。
【請求項１３】
前記記憶部は、使用者が所持する前記携帯通信装置を示すデータを含みログインのため使用者を認証するための複数人分の認証用データを記憶し、
前記操作部は、使用者を識別するための識別用入力を受け付け、
前記通信部は、入力された前記識別用入力の内容と前記認証用データを照合することでログイン中の使用者が所持する前記携帯通信装置を認識し、認識した前記携帯通信装置に向けて前記特定情報を送信することを特徴とする請求項２乃至１０の何れか１項に記載の画像形成装置。
【請求項１４】
前記特定情報は、画像形成装置の状態を示す情報、画像形成装置のジョブの履歴を示す情報、若しくは、画像データの送信先として前記記憶部に記憶された複数の送信先情報の何れか１つ、又は、複数であることを特徴とする請求項１乃至１１の何れか１項に記載の画像形成装置。
【発明の詳細な説明】
【技術分野】
【０００１】
本発明は、携帯通信装置と無線通信を行う画像形成装置に関する。
【背景技術】
【０００２】
画像形成装置は、エラー発生時に、使用者に、エラーによって印刷や送信が未完了であることを認識させるため、自動的にエラー内容が印刷される場合がある。しかし、エラー発生するごとに用紙が消費される。そこで、エラー発生時の印刷での用紙消費の抑制を図る通信装置の一例が特許文献１に記載されている。
【０００３】
具体的に、特許文献１には、ユーザー識別情報取得手段と、ユーザー識別情報に基づいてユーザーを認証し、他機と通信を行ない、通信エラーが発生したことを検知し、ユーザーを認証している状態で通信エラーの発生を検知した場合、通信エラーに関するエラーレポートを印刷することなく通信エラーに関するエラーレポートを表示させ、ユーザーを認証していない状態で通信エラーの発生を検知した場合、通信エラーに関するエラーレポートを表示させることなく通信エラーに関するエラーレポートを印刷させる通信装置が記載されている。この構成によれば、ユーザーの認証状態で通信エラーが発生した場合、エラーレポートが表示されるため、その場でユーザーは通信エラーを認識できる。さらに、通信エラーに関するエラーレポートが印刷されないため、エラーレポートの印刷に伴う用紙やトナーの無駄がなくなる（特許文献１：請求項１、段落［００２０］等参照）。
【先行技術文献】
【特許文献】
【０００４】
【特許文献１】特開２００９−０１０５８５号公報
【発明の概要】
【発明が解決しようとする課題】
【０００５】
画像形成装置では、コピーやプリントのようなジョプで、情報が記された印刷物を出力する。また、所定の操作を行うことで、画像形成装置の状態の情報が記された印刷物を出力させ得る場合がある。メンテナンス担当者や管理者は、所定の操作を行って、画像形成装置の状態を示す印刷物を出力させ、メンテナンスや管理に役立てる。しかし、印刷物を出力すると、用紙、トナー、電力などの資源が消費される。近年の環境意識の高まりから画像形成装置でも、資源の消費をできるだけ抑えることが望まれている。
【０００６】
特許文献１記載の技術では、ユーザーが認証されているとき通信装置の前にユーザーが存在していると考えられるので、ユーザーが認証されているとき、通信のエラーレポートの印刷に替えて、表示により通信エラーの内容を報知することで、資源の消費を減らしている。
【０００７】
しかし、通信エラーのレポートは、データの送受信ができていないこと（データの未達）による問題の発生を防ぐため、画像形成装置が自動的に印刷を行うものである（例えば、ファクシミリの送信未了レポート）。そのため、特許文献１記載の技術では、画像形成装置が自動的に印刷するレポートに関しては、資源の消費、無駄を抑制できる。しかし、画像形成装置が自動的に印刷するものではなく、使用者の指示や入力に基づく印刷物に関しては、資源の消費、無駄を抑制できない。
【０００８】
本発明は、上記従来技術の問題点に鑑み、今までならば使用者の指示や入力に基づいて印刷されていた情報を携帯通信装置に送信出力することで、使用する資源の量の削減を図るとともに、従来よりも、画像形成装置と携帯通信装置の連携を図ることで、携帯通信装置の活用を促すことを課題とする。
【課題を解決するための手段】
【０００９】
上記課題解決のため、請求項１に係る画像形成装置は、用紙に印刷を行う印刷部と、情報、データを記憶する記憶部と、携帯通信装置と無線により通信し、通信エリア内の送信可能な前記携帯通信装置を自動的に検出する通信部と、前記記憶部に記憶された情報のうち、予め定められた情報であり使用者の指示に基づき前記印刷部が印刷する情報である特定情報を、前記印刷部に印刷させる指示を行うための指示画面を表示する表示部と、前記指示画面を表示させる操作と、表示された前記指示画面での操作を受け付ける操作部と、を含み、前記表示部は、前記通信部により検出された前記携帯通信装置に向けて前記特定情報の送信を指示する送信キーを前記指示画面に表示し、前記通信部により検出された前記携帯通信装置への前記送信キーへの操作に基づく前記特定情報の送信指示を前記操作部が受け付けたとき、前記通信部は、前記通信部により検出された何れか１つの前記携帯通信装置に前記特定情報を送信し、前記印刷部は、前記特定情報の送信にあわせて前記特定情報を印刷しないこととした。
【発明の効果】
【００１０】
本発明によれば、今までならば使用者の指示や入力に基づいて印刷されていた情報を携帯通信装置に送信出力することで、使用する資源の量を削減することができる。また、従来よりも、画像形成装置と携帯通信装置の連携を図ることで、携帯通信装置の活用を促すことができる。
【図面の簡単な説明】
【００１１】
【図１】複合機の構造を示す図である。
【図２】複合機のハードウェア構成を示す図である。
【図３】携帯通信装置のハードウェア構成を示す図である。
【図４】複合機と携帯通信装置間の無線通信を説明するための図である。
【図５】第１無線通信部が送信可能な携帯通信装置を検出していないときの情報印刷指示画面を示す。
【図６】携帯通信装置を検出している状態での情報印刷指示画面を示す。
【図７】印刷待ちの印刷ジョブを一覧表示するジョブリスト画面を示す。
【図８】携帯通信装置を検出している状態でのジョブリスト画面を示す。
【図９】送信キーへの操作によって特定情報の送信が指示されたときの送信先を設定するための送信先設定画面を記す。
【図１０】検出中の携帯通信装置の中から特定情報の送信先を選択する送信先選択画面を示す。
【図１１】使用者や携帯通信装置の登録用入力画面を示す。
【図１２】使用者の認証の流れを示す図である。
【図１３】特定情報の送信の流れを説明するためのフローチャートである。
【図１４】自動的な特定情報の送信を行うときの特定情報の送信の流れを示すフローチャートである。
【図１５】印刷実行指示に伴う自動的な特定情報の送信の設定を行うための自動送信条件設定画面を示す。
【図１６】通信切断時の送信設定画面を示す図である。
【図１７】携帯通信装置でのアプリケーションの切断時送信先設定画面を示す図である。
【図１８】特定情報の送信中に、携帯通信装置との通信が切断したときの処理の流れを示すフローチャートである。
【発明を実施するための形態】
【００１２】
以下、図１〜図１８を用いて、本発明の実施形態を説明する。そして、本説明では、複合機１００（画像形成装置に相当）を例に挙げて説明する。但し、本実施の形態に記載されている構成、配置等の各要素は、発明の範囲を限定するものではなく単なる説明例にすぎない。
【００１３】
（複合機１００の概要）
まず、図１を用いて、実施形態に係る複合機１００の概要を説明する。図１は、複合機１００の構造を示す図である。
【００１４】
図２に示すように、本実施形態の複合機１００は、前面に取り付けられた操作パネル２（操作部に相当）を有する。そして、複合機１００は上部に原稿搬送部３ａと画像読取部３ｂからなる読取部３を有する。又、複合機１００は、内部に、印刷部１０として、給紙部４ａ、第１搬送部４ｂ、画像形成部５ａ、定着部５ｂ、第２搬送部４ｃを含む。
【００１５】
まず、操作パネル２は、複合機１００の状態や各種メッセージや設定用画面を表示する表示部２１を備える。また、表示部２１に対し、各種操作を受け付けるためのタッチパネル部２２（操作部に相当）やハードキー２３が設けられる。操作パネル２は、送信方法、送信先のアドレス、用紙のサイズ及び種類、原稿のサイズ及び種類のような送信や印刷の条件などの設定を受け付ける。
【００１６】
原稿を搬送して読み取るとき、原稿搬送部３ａは、原稿トレイに載置された原稿を１枚ずつ読取位置に向けて搬送する。画像読取部３ｂは、搬送される原稿や原稿台に載置された原稿を読み取り、原稿の画像データを生成する。
【００１７】
給紙部４ａは、複数枚の用紙を収容し、印刷のとき、用紙を送り出す。第１搬送部４ｂは、給紙部４ａから供給された用紙を画像形成部まで搬送する。画像形成部５ａは、印刷する画像データに基づき、トナー像を形成し、用紙にトナー像を転写する。定着部５ｂは、トナー像が転写された用紙を加熱・加圧して、用紙にトナー像を定着させる。第２搬送部４ｃは、定着部５ｂを通過した用紙を排出トレイ４１まで搬送する。
【００１８】
（複合機１００のハードウェア構成）
次に、図２に基づき、実施形態に係る複合機１００のハードウェア構成を説明する。図２は、複合機１００のハードウェア構成を示す図である。
【００１９】
図２に示すように、本実施形態に係る複合機１００は、制御部１を含む。制御部１は、複合機１００に含まれる各部を制御する。制御部１は、ＣＰＵ１１や、印刷や送信（ファクシミリ通信を含む）に用いる画像データを生成する画像処理部１２や、その他の電子回路や素子を含む。ＣＰＵ１１は、記憶部６に格納される制御プログラムや制御用データに基づき複合機１００の各部の制御や演算を行う。記憶部６は、ＲＯＭ、フラッシュＲＯＭ、ＨＤＤのような不揮発性と記憶装置と、ＲＡＭのような揮発性の記憶装置の組み合わせで構成される。
【００２０】
そして、制御部１は、用紙搬送や、トナー像形成、転写、定着により印刷を行う印刷部１０（給紙部４ａ、第１搬送部４ｂ、画像形成部５ａ、定着部５ｂ、第２搬送部４ｃなど）と読取部３の動作を制御する。そして、制御部１は、コンピューター３００から受信した印刷用データや読取部の原稿読み取りで得られた画像データに基づき印刷部１０に印刷を行わせる（コピー機能、プリンター機能）。
【００２１】
又、制御部１には、通信部７が接続される。制御部１は通信部７の動作、通信処理を制御する。通信部７は、パーソナルコンピューターやサーバーのようなコンピューター３００やファクシミリ装置４００と通信を行うためのインターフェイスである。また、通信部７は、無線により携帯通信装置２００と通信を行う。そして、複合機１００と携帯通信装置２００によって、通信システム５００が形成される。尚、携帯通信装置２００の詳細は後述する。
【００２２】
又、制御部１は、操作パネル２の表示等の動作を制御する。又、制御部１は、操作パネル２でなされた設定内容を認識し、設定内容や印刷の実行指示を認識する。
【００２３】
（携帯通信装置２００）
次に、図３に基づき、携帯通信装置２００を説明する。図３は、携帯通信装置２００のハードウェア構成を示す図である。
【００２４】
以下の説明では、携帯通信装置２００として、スマートフォンを用いる例を説明する。尚、携帯通信装置２００は、スマートフォンに限られず、タブレット端末などでもよく、複合機１００と無線通信可能で、使用者が携帯可能であればよい。
【００２５】
携帯通信装置２００は、携帯制御部２０１、ＲＯＭ２０２、ＲＡＭ２０３、フラッシュメモリー２０４、ディスプレイ２０５、タッチパネルユニット２０６、Ｉ／Ｆ部２０７、撮像部２０８、音声処理部２０９、マイクロフォン２１０、再生処理部２１１、スピーカー２１２、電話／データ回線通信部２１３、無線通信部（便宜上、以下の説明では、「第２無線通信部２１４」と称する）等を含む。
【００２６】
携帯制御部２０１は、携帯通信装置２００の動作を制御する。ＲＯＭ２０２、フラッシュメモリー２０４は、携帯通信装置２００の制御プログラムや制御データを記憶する。携帯制御部２０１は、ＲＯＭ２０２やフラッシュメモリー２０４に記憶されるＯＳ、制御プログラム、制御データ、アプリケーション８などに従って、携帯通信装置２００の動作を制御する。タッチパネルユニット２０６を通じた使用者のアプリケーション８の起動要求に応じ、携帯制御部２０１は、フラッシュメモリー２０４からアプリケーション８やプログラムを起動させる。
【００２７】
ディスプレイ２０５は、携帯制御部２０１からの要求に従い、各種情報を表示する。携帯制御部２０１は、タッチパネルユニット２０６の出力に基づき、タッチされた位置を認識する。タッチパネルユニット２０６は、ディスプレイ２０５の上面に設けられるタッチパネルと、タッチパネルでのタッチ位置検知用のＩＣのような回路を含む。そして、携帯制御部２０１は、タッチパネルユニット２０６の出力に基づき、表示位置がタッチされたアイコンやボタンやキーを認識する。このように、アイコンやボタンやキーの表示位置をタッチすることにより、所望するアプリケーション８を起動させることや、電話をかけることができる。
【００２８】
Ｉ／Ｆ部２０７は、携帯型メモリーを接続する部分であり、各種規格に基づくコネクタやソケットや通信用チップを実装する。撮像部２０８は、携帯通信装置２００に設けられたカメラである。音声処理部２０９は、マイクロフォン２１０から入力された音声に対して、電話／データ回線通信部２１３から送信できる形態への信号処理を行う。再生処理部２１１は、電話／データ回線通信部２１３で受信した相手型の音声データを再生し、スピーカに再生させる。第２無線通信部２１４は、比較的近距離の携帯通信装置２００や複合機１００と通信を行う部分である（第２無線通信部２１４の詳細は後述）。
【００２９】
本実施形態の通信システム５００では、複合機１００は、携帯通信装置２００に向けて、予め定められた特定情報ｉを送信する。この送信された特定情報ｉを受信するためのアプリケーション８が携帯通信装置２００のフラッシュメモリー２０４に予めインストールされる。携帯通信装置２００は、ダウンロード等によりアプリケーション８を取得できる。アプリケーション８による処理によって、携帯通信装置２００は、自機宛てに複合機１００から送信された特定情報ｉを受信する。また、アプリケーション８による処理によって、携帯通信装置２００のディスプレイ２０５は、受信した特定情報ｉの内容を表示する。これにより、携帯通信装置２００の所持者は、特定情報ｉの内容を携帯通信装置２００で確認することができる。
【００３０】
（複合機１００と携帯通信装置２００間での無線通信）
次に、図４を用いて、複合機１００と携帯通信装置２００間での無線通信を説明する。図４は、複合機１００と携帯通信装置２００間の無線通信を説明するための図である。
【００３１】
複合機１００の通信部７は、第１無線通信部７１と、ネットワーク通信部７０を含む。ネットワーク通信部７０は、ネットワークを介し、コンピューター３００やファクシミリ装置４００と通信を行うためのネットワークインターフェイスである。ネットワーク通信部７０は、ＩＰネットワークのようなネットワークでの信号の送受信や信号処理を行うためのネットワーク通信処理回路７０ａと、コネクタ、ソケットなどの信号線が接続される通信Ｉ／Ｆ部７０ｂを含む。尚、公衆電話回線を介してファクシミリ装置４００とファクシミリ通信を行えるように、モデムなどの通信回路を更に通信部７に含めても良い。
【００３２】
また、複合機１００の第１無線通信部７１は、携帯通信装置２００の第２無線通信部２１４と無線により通信を行う部分である。第１無線通信部７１と第２無線通信部２１４はそれぞれ、無線（電磁波）の送受信を行うためのアンテナ７１ａ、２１４ａや、搬送波と信号波の合成や、受信した電磁波からの信号の復号などの無線通信に関する信号処理を行う無線通信処理回路７１ｂ、２１４ｂ（無線通信用のコントローラーやチップ）を含む。
【００３３】
例えば、第１無線通信部７１と第２無線通信部２１４は、Ｂｌｕｅｔｏｏｔｈ（登録商標）の規格や、Ｗｉ−Ｆｉのような無線ＬＡＮの規格に基づき、無線通信を行う。第１無線通信部７１と第２無線通信部２１４の無線通信処理回路７１ｂ、２１４ｂは、準拠する規格で送受信可能なような回路構成とされる。また、第１無線通信部７１と第２無線通信部２１４は、赤外線通信方式のものでもよい。第１無線通信部７１と第２無線通信部２１４は、１又は複数の規格に準拠して、相手型の無線通信部７と無線通信を行うことができる。
【００３４】
複合機１００の通信部７（第１無線通信部７１）は、携帯通信装置２００の検出動作（検索処理）を行う。この検索処理により、第１無線通信部７１は、通信エリア内（電磁波が届く範囲）で、発見可能状態の携帯通信装置２００を検出する。そして、第１無線通信部７１は、携帯通信装置２００の検出を周期的に行う。これにより、第１無線通信部７１が送信可能な範囲に携帯通信装置２００が入っていると第１無線通信部７１はその携帯通信装置２００を検出し続け、第１無線通信部７１が送信可能な範囲から携帯通信装置２００が外れると、第１無線通信部７１は、その携帯通信装置２００を検出しなくなる。
【００３５】
（特定情報ｉの印刷指示）
次に、図２、図５を用いて、特定情報ｉの印刷を説明する。図５は、第１無線通信部７１が送信可能な携帯通信装置２００を検出していないときの情報印刷指示画面Ｓ１を示す。
【００３６】
本実施形態の複合機１００の記憶部６には、読取部の読み取りで得られた画像データや、制御用データなど、様々なデータを不揮発的に記憶させることができる。また、記憶部６は、操作パネル２に操作を行って印刷部１０に印刷させることができる特定情報ｉを記憶する。
【００３７】
本実施形態の複合機１００での特定情報ｉとしては、ステータス情報ｉ１、ネットワークステータス情報ｉ２、収録フォント情報ｉ３、アドレス帳情報ｉ４、ジョブ履歴情報ｉ５がある（図２参照）。尚、特定情報ｉは、上記のものに限られず、例えば、印刷ジョブの画像データなど、他種の情報を特定情報ｉと扱っても良い。
【００３８】
ステータス情報ｉ１は、複合機１００の状態に関する情報である。ステータス情報ｉ１には、現在の設定内容（各種設定の現在の設定値）の情報や、装着メモリーのサイズや種類を示す情報や、複合機１００に装着されているオプション装置（原稿搬送部や後処理装置など）の情報が含まれる。制御部１は、操作パネル２がサービスマンや管理者による設定変更やハードウェア構成の変更がなされたとき、記憶部６にステータス情報ｉ１を更新させる。
【００３９】
ネットワークステータス情報ｉ２は、複合機１００の通信に関する情報である。ネットワークステータス情報ｉ２は、ファームウェアのバージョン情報や、複合機１００のネットワークアドレスや、通信で用いているプロトコルを示す情報を含む。制御部１は、ファームウェアのバージョンアップや、ネットワークアドレスの変更や、通信プロトコルの変更があったとき、記憶部６にネットワークステータス情報ｉ２を更新させる。
【００４０】
収録フォント情報ｉ３は、複合機１００に搭載されている（記憶部６に記憶されている）フォントを示す情報である。制御部１は、記憶部６のフォントが追加や削除があったとき、記憶部６に収録フォント情報ｉ３を更新させる。
【００４１】
アドレス帳情報ｉ４は、各送信相手先の名称や、送信宛先（ネットワークアドレスやＦＡＸ番号など）の情報の束（データベース）である。操作パネル２はアドレス帳を表示し、使用者はアドレス帳から送信先を選択する操作をおこなうことで、送信のたびに相手型の宛先を入力すること無く、送信先を設定することができる。操作パネル２は、アドレス帳への新たな送信先情報（宛先名やアドレス）を入力する操作や、登録内容を変更する入力操作や、アドレス帳から特定の送信先を削除する操作を受け付ける。制御部１は、アドレス帳への新たな送信先の追加や、登録内容の変更や、送信先を削除する操作がなされると、記憶部６にアドレス帳情報ｉ４を更新させる。
【００４２】
ジョブ履歴情報ｉ５は、複合機１００が行った印刷や送信ジョブの履歴に関する情報である。ジョブ履歴情報ｉ５には、各ジョブの実行開始日時や、各ジョブの実行完了日時や、実行されたジョブの種類や、ジョブを実行した使用者、各ジョブのデータサイズといった項目の情報が含まれる。制御部１は、ジョブが実行されるとジョブ履歴情報ｉ５を記憶部６に更新させる。
【００４３】
これらの情報は、サービスマンや管理者にとって、複合機１００の状態を知るうえで有益である。そのため、本実施形態の複合機１００では、特定情報ｉの印刷を行えるようになっている。特定情報ｉを印刷するには、表示部２１に情報印刷指示画面Ｓ１（指示画面に相当）を表示させる。操作パネル２で所定の操作がなされると、制御部１は、情報印刷指示画面Ｓ１を表示部２１に表示させる。
【００４４】
表示部２１は、情報印刷指示画面Ｓ１内に、複数の印刷キーＫ１を表示する。操作パネル２（制御部１）は、タッチパネル部２２の出力に基づき、いずれかの印刷キーＫ１への操作を受け付ける。そして、制御部１は、この操作を、操作された印刷キーＫ１に対応する種類の特定情報ｉの印刷指示と認識する。そして、制御部１は、操作された印刷キーＫ１に対応する特定情報ｉが記された印刷物を印刷部１０に出力させる。
【００４５】
具体的に、ステータス情報ｉ１の印刷指示がなされたとき、複合機１００の状態に関する情報がレポートとして印刷出力される。また、ネットワークステータス情報ｉ２の印刷指示がなされたとき、複合機１００の通信に関する情報がレポートとして印刷出力される。また、収録フォント情報ｉ３の印刷指示がなされたとき、サンプル文字付きの収録フォントのリストがレポートとして印刷出力される。アドレス帳情報ｉ４の印刷指示がなされたとき、アドレス帳含まれる宛先名や送信先情報のリストがレポートとして印刷される。ジョブ履歴情報ｉ５の印刷指示がなされたとき、実行されたジョブの実行に関する時間やジョブの内容が記されたリストがレポートとして印刷される。
【００４６】
（携帯通信装置２００の検出と特定情報ｉの送信）
次に、図６に基づき、携帯通信装置２００の検出と特定情報ｉの送信について説明する。図６は、携帯通信装置２００を検出している状態での情報印刷指示画面Ｓ１を示す。
【００４７】
図６に示すように、第１無線通信部７１が、送信可能な携帯通信装置２００を検出していると、情報印刷指示画面Ｓ１には、何れかの特定情報ｉ（ステータス情報ｉ１、ネットワークステータス情報ｉ２、収録フォント情報ｉ３、アドレス帳情報ｉ４、ジョブ履歴情報ｉ５）の携帯通信装置２００への送信を指示するための送信キーＫ２が表示される。
【００４８】
一方、図５に示すように、複合機１００の第１無線通信部７１が携帯通信装置２００を検出していない状態では、情報印刷指示画面Ｓ１を表示させても、送信キーＫ２は表示されない。そのため、複合機１００の第１無線通信部７１が携帯通信装置２００を検出していない状態では、情報印刷指示画面Ｓ１では、所望の特定情報ｉの印刷は行えるが送信はできない。
【００４９】
このように、第１無線通信部７１が送信可能な携帯通信装置２００を検出しているときと検出していないときでは、情報印刷指示画面Ｓ１の表示が変化する。そして、第１無線通信部７１が携帯通信装置２００を検出していれば、表示部２１は、携帯通信装置２００への特定情報ｉの送信が選択可能となる表示に変化する。
【００５０】
操作パネル２（制御部１）は、タッチパネル部２２の出力に基づき、送信キーＫ２の表示位置のタッチ操作を認識する。そして、制御部１は、この操作をタッチされた送信キーＫ２に対応する特定情報ｉの携帯通信装置２００への送信指示として受け付ける。そして、制御部１は、表示位置がタッチされた送信キーＫ２に対応する特定情報ｉを第１無線通信部７１から検出中の携帯通信装置２００に送信出力させる。尚、制御部１は、第１無線通信部７１から携帯通信装置２００に向けて送信された情報については、送信のみ行い、送信にあわせた印刷を印刷部１０に行わせない。
【００５１】
具体的に、ステータス情報ｉ１の送信指示がなされたとき、複合機１００の状態に関する情報が送信出力される。また、ネットワークステータス情報ｉ２の送信指示がなされたとき、複合機１００の通信に関する情報が送信出力される。また、収録フォント情報ｉ３の送信指示がなされたとき、サンプル文字付きの収録フォントのリストが送信出力される。アドレス帳情報ｉ４の送信指示がなされたとき、アドレス帳含まれる宛先名や送信先情報のリストが送信される。ジョブ履歴情報ｉ５の送信指示がなされたとき、実行されたジョブの実行に関する時間やジョブの内容が記されたリストが送信される。
【００５２】
（印刷待ちのジョブの確認）
次に、図７に基づき、本実施形態の複合機１００での印刷待ちのジョブの確認について説明する。図７は、印刷待ちの印刷ジョブを一覧表示するジョブリスト画面Ｓ２を示す。
【００５３】
複合機１００では、１つずつ印刷ジョブが実行される。そのため、複数の印刷ジョブがあるとき、１つの印刷ジョブ以外は実行待ち（待機中）となる。尚、複合機１００で実行される印刷ジョブとしては、特定情報ｉをレポートとして印刷するレポート印刷ジョブの他、コピージョブ（読取部での原稿読み取りで得られた画像データに基づく印刷）、プリンタージョブ（コンピューター３００から受信した画像データに基づく印刷）、ボックス印刷ジョブ（記憶部６に記憶された画像データを再利用した印刷）、ファクシミリ受信印刷ジョブ（相手型ファクシミリ装置４００から受信した画像データに基づく印刷）などがある。
【００５４】
印刷ジョブがどれほど溜まっているか、どの印刷ジョブが実行中であるか、自分の印刷ジョブは何番目であるか、といった点が確認できれば、印刷物を得るまでの待ち時間を推測できて有益である。そのため、本実施形態の複合機１００では、印刷ジョブの実行状況や、蓄積状況を確認できるようになっている。印刷ジョブの実行状況や、蓄積状況を示す画面としてジョブリスト画面Ｓ２（指示画面に相当）が用意される。操作パネル２で所定の操作がなされると、制御部１は、ジョブリスト画面Ｓ２を表示部２１に表示させる。
【００５５】
表示部２１は、ジョブリスト画面Ｓ２内に、実行中、及び、待機中（実行待ち）の印刷ジョブを一覧表示する。表示部２１は、実行順が上位のものほど（早く印刷される印刷ジョブほど）上方の位置となるように、リストに印刷ジョブを表示する。また、表示部２１は、リスト内に、各ジョブの受け付け番号や、各ジョブの種類や、各ジョブの実行状況を表示する。ジョブリスト画面Ｓ２で操作を行うことにより、印刷を停止させたり、特定の印刷ジョブの実行を中止させたり、特定の印刷ジョブの実行順位を変更することができる。
【００５６】
（携帯通信装置２００の検出と印刷の実行指示がなされた特定情報ｉの送信）
次に、図８に基づき、携帯通信装置２００の検出と印刷の実行指示がなされた特定情報ｉの送信について説明する。図８は、携帯通信装置２００を検出している状態でのジョブリスト画面Ｓ２を示す。
【００５７】
図８に示すように、第１無線通信部７１が送信可能な携帯通信装置２００を検出している状態のとき、ジョブリスト画面Ｓ２には、携帯通信装置２００に、待機中の各印刷ジョブ印刷ジョブの内容（印刷ジョブに含まれる情報）の送信を指示するための送信キーＫ３が表示される。
【００５８】
尚、図８では、情報印刷指示画面Ｓ１で印刷実行指示がなされたレポート印刷ジョブ以外のジョブについても送信キーＫ３を付して表示する例を示している。この場合、コピージョブやプリンタージョブの印刷内容（画像データ）を特定情報ｉとして扱っている。しかし、情報印刷指示画面Ｓ１で印刷実行指示がなされたレポート印刷ジョブについてのみ、送信キーＫ３を付すようにしてもよい。
【００５９】
一方で、図７に示すように、複合機１００の第１無線通信部７１が携帯通信装置２００を検出していない状態でジョブリスト画面Ｓ２を表示させたときでは、送信キーＫ３は表示されない。そのため、複合機１００の第１無線通信部７１が携帯通信装置２００を検出していない状態では、携帯端末への送信指示を行えない。
【００６０】
このように、第１無線通信部７１が送信可能な携帯通信装置２００を検出しているときと検出していないときでは、ジョブリスト画面Ｓ２の表示が変化する。そして、送信可能な第１無線通信部７１を携帯通信装置２００が検出していれば、表示部２１は、印刷実指示済みの情報を、携帯通信装置２００に送信する選択が可能となる表示に変化する。
【００６１】
操作パネル２（制御部１）は、タッチパネル部２２の出力に基づき、送信キーＫ３の表示位置のタッチ操作を認識する。制御部１は、この操作を送信する印刷ジョブを選択し、選択した印刷ジョブに含まれる情報を携帯通信装置２００に送信する指示として受け付ける。そして、制御部１は、表示位置がタッチされた送信キーＫ３に対応する印刷ジョブの内容を第１無線通信部７１から検出中の送信可能な携帯通信装置２００に送信出力させる。
【００６２】
そして、制御部１は、第１無線通信部７１から携帯通信装置２００に向けて情報が送信された印刷ジョブを印刷部１０に印刷させない。また、制御部１は、表示部２１に送信キーＫ３の表示位置がタッチされ、携帯通信装置２００に向けて情報が送信された印刷ジョブをジョブリスト画面Ｓ２から削除させる。尚、制御部１は、携帯通信装置２００に向けて情報を送信した印刷ジョブを削除せず、印刷させてもよい。
【００６３】
（特定情報ｉの送信先の設定）
次に、図９を用いて、特定情報ｉの送信先について説明する。図９は、特定情報ｉの送信が指示されたときの送信先を設定するための送信先設定画面Ｓ３を記す。図１０は、検出中の携帯通信装置２００の中から特定情報ｉの送信先を選択する送信先選択画面Ｓ４を示す。図１１は、使用者や携帯通信装置２００の登録用入力画面Ｓ５を示す。図１２は、使用者の認証の流れを示す図である。
【００６４】
本実施形態の複合機１００では、送信キーＫ２、Ｋ３の表示位置をタッチすることにより、印刷に替えて送信が指示された特定情報ｉを検出中の携帯通信装置２００に送信することができる。ここで、検出中の携帯通信装置２００に無差別に特定情報ｉを送信したくない場合がある。そこで、本実施形態の複合機１００では、どのような携帯通信装置２００を特定情報ｉの送信先とするか、図９に示す送信先設定画面Ｓ３で設定することができる。
【００６５】
操作パネル２の表示部２１は、タッチパネル部２２に所定の操作がなされると、図９に示すような送信先設定画面Ｓ３を表示する。送信先設定画面Ｓ３には、特定情報ｉの送信先を定めるためのキーとして、第１選択キーＫ４、第２選択キーＫ５、第３選択キーＫ６、第４選択キーＫ７の４つのキーが配される。
【００６６】
第１選択キーＫ４は、第１無線通信部７１が検出中の携帯通信装置２００のうち特定情報ｉを送信する携帯通信装置２００を選択したうえで、特定情報ｉを送信する設定とするためのキーである。これにより、使用者が所望する特定の携帯通信装置２００に向けて、特定情報ｉを送信することができる。
【００６７】
第２選択キーＫ５は、第１無線通信部７１が検出中の携帯通信装置２００のうち、複合機１００に記憶部６に予めアドレスなどが登録されている携帯通信装置２００に特定情報ｉを送信する設定とするためのキーである。これにより、部外者の携帯通信装置２００に特定情報ｉを送信しないようにすることができる。
【００６８】
第３選択キーＫ６は、複合機１００を使用するために、現在ログインしている使用者の携帯通信装置２００に特定情報ｉを送信する設定とするためのキーである。これにより、特定情報ｉの送信を指示する入力を操作パネル２に行ったログイン中の使用者の携帯通信装置２００にのみ特定情報ｉを送信することができる。
【００６９】
第４選択キーＫ７は、第１無線通信部７１が検出中の携帯通信装置２００のうち、全ての携帯通信装置２００に特定情報ｉを送信する設定とするためのキーである。これにより、送信を指示した特定情報ｉを、検出中の携帯通信装置２００に漏れなく送信することができる。
【００７０】
〈第１選択キーＫ４〉
次に、第１選択キーＫ４の設定がされたときの送信処理について説明する。
【００７１】
送信先設定画面Ｓ３で、タッチパネル部２２は、第１選択キーＫ４の表示位置のタッチを受け付ける。そして、制御部１は、この操作がなされると、第１無線通信部７１が検出中の携帯通信装置２００のうち、特定情報ｉを送信する携帯通信装置２００を使用者が選択したうえで特定情報ｉを送信する設定がなされたと認識する。
【００７２】
この設定がなされている状態では、何れかの送信キーＫ２、Ｋ３の表示位置がタッチされると、制御部１は、表示部２１に図１０に示す送信先選択画面Ｓ４を表示させる。制御部１は、図１０に示す送信先選択画面Ｓ４内に、第１無線通信部７１が検索を行うことにより携帯通信装置２００から取得した情報の一部として、携帯通信装置２００ごとに、端末名、ＭＡＣアドレス、メールアドレスといった情報を表示部２１に表示させる。尚、制御部１は、他種の携帯通信装置２００に関する情報を送信先選択画面Ｓ４に表示させてもよい。携帯通信装置２００にインストールされたアプリケーション８は、第１無線通信部７１から検索の無線（電磁波）を受信すると、端末名や、各種アドレス情報などを複合機１００の第１無線通信部７１に向けて、自機の情報を返信する所定の返信処理を携帯制御部２０１や第２無線通信部２１４に行わせても良い。
【００７３】
そして、使用者は、送信したい携帯通信装置２００に割り当てられた表示エリアをタッチすることにより、特定情報ｉを送信する携帯通信装置２００を選択できる。制御部１は、タッチパネル部２２の出力に基づき、選択された携帯通信装置２００と、ＯＫキーＫ８の表示位置のタッチを認識する。そして、制御部１は、選択された携帯通信装置２００に向けて、第１無線通信部７１に特定情報ｉを送信させる。
【００７４】
このとき、選択された携帯通信装置２００で特定情報ｉが取得され、内容を閲覧できるようにするため、第１無線通信部７１は、選択された携帯通信装置２００を示す信号を送信波に含めたり、選択された携帯通信装置２００でのみ解読可能な暗号化を行ったりして、特定情報ｉを送信するようにしてもよい。これにより、選択された携帯通信装置２００で特定情報ｉの内容を閲覧して確認でき、特定情報ｉの印刷は不要となる。
【００７５】
〈第２選択キーＫ５〉
次に、第２選択キーＫ５の設定がされたときの送信処理について説明する。
【００７６】
送信先設定画面Ｓ３で、タッチパネル部２２は、第２選択キーＫ５の表示位置のタッチを受け付ける。そして、制御部１は、この操作がなされると、タッチパネル部２２の出力に基づき、複合機１００に記憶部６に予めアドレスなどが登録されている携帯通信装置２００に特定情報ｉを送信する設定がなされたと認識する。
【００７７】
ここで、図１１を用いて、使用者や使用者が所持する携帯通信装置２００の登録について説明する。図１１に示す登録用入力画面Ｓ５は、タッチパネル部２２などに所定の操作を行うことにより、表示部２１に表示させることができる。
【００７８】
登録用入力画面Ｓ５では、使用者について、ユーザー名や、ログインユーザー名や、メールアドレスや、携帯通信装置２００名や、携帯通信装置２００のアドレスや、携帯通信装置２００と無線通信を行うためのパスワードや、所属部門など複数の項目を設定することができる。
【００７９】
これらの項目を設定するため、変更キーＫ９ａ〜Ｋ９ｈが設けられる。変更キーＫ９のうち設定、変更を所望する項目に対応するキーの表示位置をタッチすることで、項目の設定、登録を行うことができる。タッチパネル部２２は、変更キーＫ９ａ〜Ｋ９ｈの表示位置をタッチする操作を受け付け、制御部１は、表示部２１に設定入力用のソフトウェアキーボード（不図示）を表示させる。ソフトウェアキーボードに入力を行うことによって、各種項目について設定することができる。
【００８０】
そして、登録用入力画面Ｓ５で登録キーの表示位置がタッチされると、制御部１は、登録用入力画面Ｓ５で入力された内容を記憶部６に不揮発的に記憶させる。これにより、使用者に関する情報や、使用者の所持する携帯通信装置２００に関する情報の登録がなされる。
【００８１】
第２選択キーＫ５により、登録されている携帯通信装置２００に送信を行う設定がなされている状態で、特定情報ｉを送信するための何れかの送信キーＫ２、Ｋ３の表示位置がタッチされると、制御部１は、検出中の携帯通信装置２００のうち、携帯通信装置２００の名前や、携帯通信装置２００のアドレスに基づき、記憶部６に登録されている携帯通信装置２００を認識する。そして、制御部１は、検出中の携帯通信装置２００のうち、記憶部６に登録のある携帯通信装置２００に向けて、第１無線通信部７１に特定情報ｉを送信させる。
【００８２】
このとき、複合機１００の記憶装置に登録された携帯通信装置２００でのみ特定情報ｉが取得され、内容を閲覧できるようにするため、第１無線通信部７１は、登録された携帯通信装置２００を示す信号を送信波に含めたり、登録された携帯通信装置２００でのみ解読可能な暗号化を行ったりして、特定情報ｉを送信するようにしてもよい。これにより、予め、複合機１００に登録された携帯通信装置２００で特定情報ｉの内容を閲覧して確認できる。そして、特定情報ｉの印刷は不要となる。
【００８３】
尚、検出中の携帯通信装置２００が無いとき、及び、検出中の携帯通信装置２００のなかに登録された携帯通信装置２００が無いとき、制御部１は、第１無線通信部７１に送信を行わせず、送信可能な携帯通信装置２００が無い旨を表示部２１に表示させる。
【００８４】
ここで、本実施形態の通信システム５００の携帯通信装置２００には、複合機１００と無線通信するためのアプリケーション８がインストールされる。そこで、アプリケーション８により、携帯通信装置２００のディスプレイ２０５に図１１と同様の内容を設定する設定画面を表示させてもよい。そして、携帯通信装置２００の携帯制御部２０１は、タッチパネルユニット２０６の出力に基づき、各項目の設定内容を認識する。そして、携帯制御部２０１は、各項目の設定内容を第１無線通信部７１に向けて送信する。制御部１は、携帯通信装置２００の第２無線通信部２１４から第１無線通信部７１が受信した内容を認識し、携帯通信装置２００で設定された内容を記憶部６に記憶させる。このように、使用者や使用者の所持する携帯通信装置２００の登録を携帯通信装置２００で行えるようにしてもよい。
【００８５】
〈第３選択キーＫ６〉
次に、第３選択キーＫ６の設定がされたときの送信処理について説明する。
【００８６】
送信先設定画面Ｓ３で、タッチパネル部２２は、第３選択キーＫ６の表示位置のタッチを受け付ける。そして、制御部１は、この操作がなされると、ログイン中の使用者の携帯通信装置２００にのみ特定情報ｉを送信する設定がなされたと認識する。
【００８７】
ここで、図１２を用いて、使用者の認証について説明する。まず、本実施形態の複合機１００では、使用者の認証を受けてログインしなければ、複合機１００の使用や操作パネル２への入力が受け付けられないようにすることができる。尚、使用者の認証無しに、誰でも利用できる状態とすることもできる。複合機１００の使用に、使用者の認証が必要か否かは、操作パネル２で設定することができる。
【００８８】
使用者の認証をすると（ログインすると）複合機１００が使用できる設定では、ログインしていない間では、複合機１００は、基本的にログアウトの状態である。ログアウト状態では、操作パネル２では、使用者が認証を受けるための入力のみが受け付けられ、印刷や送信に関する設定を行えない。また、認証を受けてログインした後、複合機１００に対する操作や実行するジョブが無くなってから、一定時間を経過すると、制御部１は複合機１００（操作パネル２）を自動的にログアウト状態とする（オートログアウト）。
【００８９】
使用者が認証を受け、ログインするには、ログアウト状態の複合機１００の操作パネル２に、識別用入力を行う。予め登録されたユーザー名や、ログインユーザー名の入力が識別用入力として求められる。操作パネル２の表示部２１は、識別用入力を行うためのログイン画面（不図示）や識別用に有力のためのソフトウェアキーボードを表示する。又、タッチパネル部２２は、識別用入力を受け付ける（図１２の（１））。
【００９０】
識別用入力の内容は、制御部１に入力される（図１２の（２））。制御部１は、識別用入力の内容を認識する。そして、制御部１は、記憶部６に記憶された認証用データＤ１と、識別用入力の内容を比較して、使用者を認証する。認証用データＤ１は、予め、図１１の登録用入力画面Ｓ５を用いて記憶部６に登録された（記憶された）各使用者のユーザー名やログインユーザー名の束である。制御部１は、認証用データＤ１と識別用入力の内容を照合し、認証用データＤ１の中に、識別用入力と一致する使用者がいるか否かを確認する（図１２の（３））。
【００９１】
一致する使用者がいると、制御部１は、認証用データＤ１のうち、一致した使用者を操作パネル２に識別用入力を行った者と認証する。そして、表示部２１の一部の領域に認証した使用者名を表示し、操作パネル２は、各種設定を受け付ける状態となる（ログイン状態）。一方、認証用データＤ１のなかに一致する使用者がいなければ、制御部１は、操作パネル２に識別用入力を行った者は予め登録された者では無く、認証できない旨を表示部２１に表示させる（図１２の（４））。
【００９２】
第３選択キーＫ６により、ログイン中の使用者の携帯通信装置２００に特定情報ｉを送信する設定がなされている状態で、特定情報ｉを送信するための何れかの送信キーＫ２、Ｋ３の表示位置がタッチされると、制御部１は、検出中の携帯通信装置２００のうち、認証中の使用者の携帯通信装置２００に向けて、第１無線通信部７１に特定情報ｉを送信させる。
【００９３】
具体的には、認証用データＤ１の中には、各使用者に関連付けて、各使用者の所持する携帯通信装置２００を示すデータ（携帯通信装置２００の名前やアドレス情報）が含まれる。制御部１は、認証用データＤ１に含まれる情報に基づき、認証中の携帯通信装置２００の認証中の使用者の携帯通信装置２００に向けて第１無線通信部７１に特定情報ｉを送信させる。
【００９４】
このとき、認証された使用者の携帯通信装置２００でのみ特定情報ｉが取得され、内容を閲覧できるようにするため、第１無線通信部７１は、認証された使用者（ログイン中の使用者）の携帯通信装置２００を示す信号を送信波に含めたり、登録された携帯通信装置２００でのみ解読可能な暗号化を行ったりして、特定情報ｉを送信するようにしてもよい。これにより、ログイン中の使用者の携帯通信装置２００でのみ特定情報ｉの内容を閲覧することができる。そのため、特定情報ｉの印刷は不要となる。
【００９５】
〈第４選択キーＫ７〉
最後に、第４選択キーＫ７の設定がされたときの送信処理について説明する。
【００９６】
送信先設定画面Ｓ３で、タッチパネル部２２は、第４選択キーＫ７の表示位置のタッチを受け付ける。そして、制御部１は、この操作がなされると、特定情報ｉを、検出中の携帯通信装置２００に漏れなく送信する設定がなされたと認識する。
【００９７】
第４選択キーＫ７に基づく設定がなされている状態で、特定情報ｉを送信するための何れかの送信キーＫ２、Ｋ３の表示位置がタッチされると、制御部１は、検出中の携帯通信装置２００の全てに向けて、第１無線通信部７１に特定情報ｉを送信させる。
【００９８】
尚、本実施形態の通信システム５００の携帯通信装置２００には、複合機１００と無線通信するためのアプリケーション８がインストールされる。そこで、アプリケーション８により、携帯通信装置２００のディスプレイ２０５に図９と同様の内容を設定する設定画面を表示させてもよい。そして、携帯通信装置２００の携帯制御部２０１は、タッチパネルユニット２０６の出力に基づき、どのような携帯通信装置２００を特定情報ｉの送信先とするかの設定内容を認識する。そして、携帯制御部２０１は、第２無線通信部２１４に、設定内容を第１無線通信部７１に向けて送信させる。制御部１は、携帯通信装置２００の第２無線通信部２１４からの受信内容を認識し、携帯通信装置２００で設定された内容を記憶部６に記憶させる。このように、どのような携帯通信装置２００を特定情報ｉの送信先とするかの設定を携帯通信装置２００への入力により行えるようにしてもよい。
【００９９】
（特定情報ｉの送信の流れ）
次に、図１３を用いて、特定情報ｉの送信の流れを説明する。図１３は、特定情報ｉの送信の流れを説明するためのフローチャートである。
【０１００】
図１３のスタートは、複合機１００の電源が投入されたときや、省電力モードでない状態（省電力モードから通常モードに復帰した状態）が始まったときである。
【０１０１】
まず、制御部１は、第１無線通信部７１に、スマートフォンやタブレット端末のような携帯通信装置２００を検索させる（ステップ♯１１）。そして、制御部１は、携帯通信装置２００を認識する（ステップ♯１２）。
【０１０２】
そして、制御部１は、情報印刷指示画面Ｓ１やジョブリスト画面Ｓ２のような特定情報ｉの印刷用の指示画面の表示を行う操作を操作パネル２（タッチパネル部２２）が受け付けたか否かを確認する（ステップ♯１３）。特定情報ｉの印刷指示用の画面を表示するための操作がなされていないとき（ステップ♯１３のＮｏ）、フローはステップ♯１１に戻る。
【０１０３】
一方、特定情報ｉの印刷用の指示画面を表示するための操作がなされたとき（ステップ♯１３のＹｅｓ）、制御部１は、第１無線通信部７１が携帯通信装置２００を検出していなければ、送信キーＫ２、Ｋ３を表示せず、携帯通信装置２００を検出していれば、送信キーＫ２、Ｋ３を表示部２１に表示させる（ステップ♯１４）。尚、携帯通信装置２００が検出されていても、登録された携帯通信装置２００に特定情報ｉを送信する設定のときに登録された携帯通信装置２００を検出していないときや、ログイン中の使用者の携帯通信装置２００に特定情報ｉを送信する設定のときにログイン中の使用者の携帯通信装置２００を検出していないときは、制御部１は、送信キーＫ２、Ｋ３を特定情報ｉの印刷用の指示画面に表示させないようにしてもよい。
【０１０４】
そして、制御部１は、タッチパネル部２２、操作パネル２の出力に基づき何れかの送信キーＫ２、Ｋ３が押されたことにより、特定情報ｉの送信の指示がなされたか否かを確認する（ステップ♯１５）。もし、特定情報ｉの送信の指示が無ければ（ステップ♯１５のＮｏ）、フローは、ステップ♯１１に戻る。一方、操作パネル２で特定情報ｉの送信の指示が受け付けられると（ステップ♯１５のＹｅｓ）、制御部１は、予め送信先設定画面Ｓ３で選択された方法に応じて送信対象となる携帯通信装置２００を検出しているか否かを確認する（ステップ♯１６）。
【０１０５】
全く携帯通信装置２００を検出していない、登録された者の携帯通信装置２００が検出されていない、ログイン中の使用者の携帯通信装置２００が検出されていないなど、送信先設定画面Ｓ３での送信先の設定に応じた携帯通信装置２００を検出できていなければ（ステップ♯１６のＮｏ）、制御部１は、表示部２１に送信すべき携帯通信装置２００が無い旨を報知させる（ステップ♯１７）。
【０１０６】
一方、送信先設定画面Ｓ３での送信先の設定に応じた携帯通信装置２００を検出できていれば（ステップ♯１６のＹｅｓ）、制御部１は、その携帯通信装置２００に向けて、送信が指示された特定情報ｉを第１無線通信部７１から送信させる。そして、制御部１は、送信が指示された特定情報ｉの印刷は行わず、送信のみ行わせる（ステップ♯１８）。これにより、携帯通信装置２００は、所定の操作がなされることによって、受信した特定情報ｉの内容を表示する（ステップ♯１９）。使用者は携帯通信装置２００の表示内容を確認がなされる。そして、フローは、ステップ♯１１に戻る。本フローは、複合機１００が省電力モードになるまで、あるいは、主電源が落とされるまで続けられる。
【０１０７】
（自動的な特定情報ｉの送信）
次に、図１４、図１５を用いて、印刷実行指示に伴う自動的な特定情報ｉの送信について説明する。図１４は、自動的な特定情報ｉの送信を行うときの特定情報ｉの送信の流れを示すフローチャートである。図１５は、印刷実行指示に伴う自動的な特定情報ｉの送信の設定を行うための自動送信条件設定画面Ｓ６を示す。
【０１０８】
本実施形態の複合機１００では、送信可能な携帯通信装置２００が検出されると、特定情報ｉの印刷実行用の指示画面（図６に示す情報印刷指示画面Ｓ１や、図８に示すジョブリスト画面Ｓ２）で送信キーＫ２、Ｋ３が表示される。しかし、送信キーＫ２、Ｋ３が表示されていても、印刷キーＫ１の表示位置がタッチされると、制御部１は、特定情報ｉを印刷部１０に印刷させる。特定情報ｉが印刷されれば、用紙のような資源の消費の削減を削減できない。
【０１０９】
そこで、本実施形態の複合機１００では、特定情報ｉの印刷の実行を指示する画面で印刷キーＫ１の表示位置がタッチされると、自動的に特定情報ｉを検出中の携帯通信装置２００に送信するように設定することができる。
【０１１０】
使用者は、図１５に示す自動送信条件設定画面Ｓ６で、印刷キーＫ１の表示位置のタッチ（特定情報ｉの印刷の実行指示）に伴って特定情報ｉの検出中の携帯通信装置２００への自動的な送信を行うか否かの設定や自動送信に関する設定を行える。制御部１は、操作パネル２やタッチパネル部２２に所定の操作がなされると、自動送信条件設定画面Ｓ６を表示部２１に表示させる。
【０１１１】
具体的に、自動送信条件設定画面Ｓ６には、印刷実行指示に伴う特定情報ｉの自動的な送信に関する設定のため、実行キー１０、不実行キー１１、及び３つのチェックボックスＣ１、Ｃ２、Ｃ３が配される。各チェックボックスについては、チェックボックスの表示位置のタッチを繰り返すことで、チェックを入れたり、外したりすることができる。
【０１１２】
実行キー１０は、複合機１００の設定を、印刷実行指示に伴って自動的な特定情報ｉの送信を行う設定とするためのキーである。不実行キー１１は、使用者の意思を優先し、複合機１００の設定を、特定情報ｉの印刷実行指示があっても、自動的な特定情報ｉの送信を行わない設定とするためのキーである。
【０１１３】
次に、実行キー１０への操作によって、印刷実行指示がなされると、特定情報ｉを自動的に送信する設定がなされているときの送信処理について説明する。自動送信条件設定画面Ｓ６で、タッチパネル部２２は、実行キー１０の表示位置のタッチを受け付ける。そして、制御部１は、この操作がなされると、印刷実行指示に伴って自動的な特定情報ｉの送信を行う設定を行う設定がなされたと認識する。
【０１１４】
実行キー１０に基づく設定がなされている状態で、何れかの特定情報ｉに対応する印刷キーＫ１の表示位置がタッチされると、制御部１は、検出中の携帯通信装置２００に向けて、特定情報ｉを送信する。特定情報ｉを送信したとき、制御部１は、印刷の実行指示がなされてはいるものの、印刷の実行指示がなされた特定情報ｉを印刷部１０に印刷させない。
【０１１５】
尚、自動送信条件設定画面Ｓ６で、タッチパネル部２２は、不実行キー１１の表示位置のタッチを受け付ける。そして、制御部１は、この操作がなされると、印刷実行指示に伴って自動的な特定情報ｉの送信を行わない設定がなされたと認識する。印刷実行指示に伴う自動的な特定情報ｉの送信を行わない設定のとき、制御部１は、特定情報ｉの印刷の実行指示がなされたときは、印刷の実行指示がなされた特定情報ｉを印刷部１０に印刷させる。また、制御部１は、自動的な特定情報ｉの送信を行わない。
【０１１６】
チェックボックスＣ１、チェックボックスＣ２により、印刷実行指示に伴う自動的な特定情報ｉの送信を行う条件を設定することができる。言い換えると、チェックボックスＣ１、チェックボックスＣ２による設定は、実行キー１０により、印刷実行指示に伴う自動的な特定情報ｉの送信を行う場合にのみ関連する。尚、チェックボックスＣ１とチェックボックスＣ２には、両方共にチェックを入れることができる。チェックボックスＣ１、Ｃ２にチェックが入っていると、チェックボックスＣ１、Ｃ２による条件が満たされなければ、印刷実行指示に伴う自動的な特定情報ｉの送信は行われない。
【０１１７】
使用者は、チェックボックスＣ１にチェックを入れるか否かにより、エラーによって、印刷が停止しており、特定情報ｉが直ちに印刷されないという条件が満たされているときのみ印刷実行指示に伴う自動的な特定情報ｉの送信を行うか否かを設定できる。
【０１１８】
実行キー１０により、印刷指示に伴う自動的な特定情報ｉの送信を行う設定がなされている状態で、チェックボックスＣ１による条件が設定されていると、特定情報ｉの印刷の実行指示がなされたとき（いずれかの印刷キーＫ１のタッチがあったとき）、エラーで印刷停止の状態のときという条件が満たされていれば、制御部１は、印刷実行指示がなされた特定情報ｉを自動的に検出中の携帯通信装置２００に送信させる。
【０１１９】
また、使用者は、チェックボックスＣ２にチェックを入れるか否かにより、印刷ジョブが重なり、特定情報ｉの印刷ジョブの前に他の印刷ジョブがあり、特定情報ｉが直ちに印刷されないという条件が満たされているときに印刷実行指示に伴う自動的な特定情報ｉの送信を行うか否かを設定できる。
【０１２０】
実行キー１０により、印刷指示に伴う自動的な特定情報ｉの送信を行う設定がなされている状態で、チェックボックスＣ２による条件が設定されていると、特定情報ｉの印刷の実行指示がなされたとき（いずれかの印刷キーＫ１のタッチがあったとき）、特定情報ｉの印刷ジョブの前に他の印刷ジョブがあるときに、制御部１は、印刷実行指示がなされた特定情報ｉを自動的に検出中の携帯通信装置２００に送信させる。
【０１２１】
チェックボックスＣ３により、印刷実行指示に伴う自動的な特定情報ｉの送信を行ったときに、特定情報ｉを印刷するか否かを設定することができる。言い換えると、チェックボックスＣ３による設定は、実行キー１０により、印刷実行指示に伴う自動的な特定情報ｉの送信を行う場合にのみ関連する。
【０１２２】
実行キー１０により、印刷指示に伴う自動的な特定情報ｉの送信を行う設定がなされている状態で、チェックボックスＣ３による条件が設定されていると、印刷の実行指示（いずれかの印刷キーＫ１のタッチ）がなされた特定情報ｉを自動的に検出中の携帯通信装置２００に送信したとき、制御部１は、印刷実行指示がなされた特定情報ｉの印刷を印刷部１０に行わせない。
【０１２３】
尚、本実施形態の通信システム５００の携帯通信装置２００には、複合機１００と無線通信するためのアプリケーション８がインストールされる。そこで、アプリケーション８により、携帯通信装置２００のディスプレイ２０５に図１５と同様の内容を設定する設定画面を表示させてもよい。そして、携帯通信装置２００の携帯制御部２０１は、タッチパネルユニット２０６の出力に基づき、特定情報ｉの検出中の携帯通信装置２００への自動的な送信の設定内容を認識する。そして、携帯制御部２０１は、第２無線通信部２１４に設定内容を第１無線通信部７１に向けて送信させる。制御部１は、携帯通信装置２００の第２無線通信部２１４からの受信内容を認識し、携帯通信装置２００で設定された内容を記憶部６に記憶させる。このように、特定情報ｉの印刷の実行指示）に伴って特定情報ｉの検出中の携帯通信装置２００への自動的な送信を行うか否かの設定や自動送信を行ううえでの条件の設定を携帯通信装置２００で行えるようにしてもよい。
【０１２４】
次に、図１４を用いて、実行キー１０の表示位置のタッチにより、特定情報ｉの印刷の実行指示に伴う自動的な特定情報ｉの送信を行う設定がなされているときの処理の流れを説明する。尚、特定情報ｉの印刷の実行指示に伴う自動的な特定情報ｉの送信を行わない設定がなされていないときは、本フローは実行されず、特定情報ｉの印刷がなされる。
【０１２５】
図１４のスタートは、複合機１００の電源が投入されたときや、省電力モードでない状態（省電力モードから通常モードに復帰した状態）が始まったときである。
【０１２６】
まず、制御部１は、第１無線通信部７１に、スマートフォンやタブレット端末のような携帯通信装置２００を検索させる（ステップ♯２１）。そして、制御部１は、携帯通信装置２００を認識する（ステップ♯２２）。
【０１２７】
そして、制御部１は、タッチパネル部２２、操作パネル２の出力に基づき、情報印刷指示画面Ｓ１やジョブリスト画面Ｓ２のような特定情報ｉの印刷を指示するための画面で、特定情報ｉの印刷の実行指示がなされたか否かを確認する（ステップ♯２３）。特定情報ｉの印刷実行指示がなされていないとき（ステップ♯２３のＮｏ）、フローはステップ♯１１に戻る。
【０１２８】
一方、特定情報ｉの印刷を指示するための画面で、特定情報ｉの印刷の実行指示がなされたとき（ステップ♯２３のＹｅｓ）、制御部１は、設定されている条件が無いか、あるいは、設定されている条件が満たされていて、自動送信を行って良いか否かを確認する（ステップ♯２４）。
【０１２９】
条件が満たされず、印刷実行指示に伴う特定情報ｉの自動送信を行うべきで無ければ（ステップ♯２４のＮｏ）、制御部１は、印刷の実行が指示された特定情報ｉを印刷部１０に印刷させる（ステップ♯２５）。そして、フローはステップ♯２１に戻る。
【０１３０】
一方、印刷実行指示に伴う特定情報ｉの自動送信を行うべきとき（ステップ♯２４のＹｅｓ）、制御部１は、予め送信先設定画面Ｓ３で選択された方法に応じて送信対象となる携帯通信装置２００を検出しているか否かを確認する（ステップ♯２６）。
【０１３１】
具体的に、第１無線通信部７１が全く携帯通信装置２００を検出していないとき、制御部１は、送信対象となる携帯通信装置２００を検出していないと判断する。また、図９の送信先設定画面Ｓ３で、登録されている携帯通信装置２００に特定情報ｉを送信する設定がなされていて、第１無線通信部７１が登録された携帯通信装置２００を検出していないとき、送信対象となる携帯通信装置２００を検出していないと判断する。また、図９の送信先設定画面Ｓ３で、ログイン中の使用者の携帯通信装置２００に特定情報ｉを送信する設定がなされていて、ログイン中の使用者の携帯通信装置２００を検出していないとき、送信対象となる携帯通信装置２００を検出していないと判断する。
【０１３２】
送信対象となる携帯通信装置２００を検出していないとき（ステップ♯２６のＮｏ）、制御部１は、印刷の実行が指示された特定情報ｉを印刷部１０に印刷させる（ステップ♯２６）。そして、フローはステップ♯２１に戻る。
【０１３３】
一方、送信対象となる携帯通信装置２００を検出しているとき（ステップ♯２６のＹｅｓ）、制御部１は、送信対象となる携帯通信装置２００の第２無線通信部２１４に向けて、印刷の実行が指示された特定情報ｉを第１無線通信部７１に送信させる（ステップ♯２７）。そして、制御部１は、実行指示に伴い自動的に携帯通信装置２００に送信された特定情報ｉを印刷しない設定がなされていれば、その特定情報ｉを印刷部１０に印刷させない（ステップ♯２８）。また、携帯通信装置２００は、所定の操作がなされることによって、受信した特定情報ｉの内容を表示する（ステップ♯２９）。これにより、使用者は携帯通信装置２００の表示内容（特定情報ｉ）を確認する。そして、フローは、ステップ♯２１に戻る。本フローは、複合機１００が省電力モードになるまで、あるいは、主電源が落とされるまで続けられる。
【０１３４】
（特定情報ｉの送信中の通信切断）
次に、図１７、図１６を用いて、特定情報ｉの送信中の通信切断について説明する。図１６は、携帯通信装置２００でのアプリケーション８の切断時送信先設定画面Ｓ７を示す図である。図１７は、通信切断時の送信設定画面Ｓ８を示す図である。
【０１３５】
第１無線通信部７１が送信可能な距離（エリア）には限界がある。そのため、第１無線通信部７１が携帯通信装置２００に向けた特定情報ｉの送信中に、使用者が第１無線通信部７１の送信可能なエリア外に移動してしまうことがある。例えば、自分の机で電話が鳴ったときや、呼び出しがあったときなどは、使用者の移動にあわせて、エリアから携帯通信装置２００が外れる場合がある。特に、特定情報ｉの送信データ量が大きいとき、第１無線通信部７１から携帯通信装置２００へ特定情報ｉの送信中に、携帯通信装置２００が第１無線通信部７１の通信可能エリアから外れやすくなる。
【０１３６】
そうすると、第１無線通信部７１から携帯通信装置２００への特定情報ｉの送信は完了せずに、第１無線通信部７１と携帯通信装置２００の第２無線通信部２１４間の通信が切断される場合がある。
【０１３７】
ここで、図１６に示すように、複合機１００と特定情報ｉの通信を行うためのアプリケーション８に基づき、携帯通信装置２００では、Ｅメールアドレスや代替送信先を設定することができる。携帯通信装置２００の携帯制御部２０１は、タッチパネルユニット２０６に所定の操作がなされると、図１６の切断時送信先設定画面Ｓ７を携帯通信装置２００のディスプレイ２０５に表示させる。切断時送信先設定画面Ｓ７には、メールアドレス設定欄Ｌ１、第１代替送信先設定欄Ｌ２、第２代替送信先設定欄Ｌ３が設けられる。各欄の表示位置がタッチされると、携帯制御部２０１は、ソフトウェアキーボードをディスプレイ２０５に表示させる。タッチパネルユニット２０６は、ソフトウェアキーボードに含まれる各キーの表示位置をタッチし、メールアドレスのような送信先の設定を受け付ける。
【０１３８】
そして、第１無線通信部７１は、検索した携帯通信装置２００から予めＥメールアドレスや代替送信先の情報を取得する。これにより、複合機１００の通信部７は、通信切断があっても、Ｅメールアドレスや代替送信先に切断により通信未完了の特定情報ｉを送信して、携帯通信装置２００又は代替装置に特定情報ｉを到達させることができる。
【０１３９】
ここで、本実施形態の複合機１００では、予め携帯通信装置２００を記憶部６に登録しておくことができる。そのため、予め、操作パネル２やタッチパネル部２２に入力して、記憶部６に各携帯通信装置２００のＥメールアドレスや代替送信先を登録、記憶させておいてもよい。
【０１４０】
そして、本実施形態の複合機１００では、特定情報ｉの送信中に第１無線通信部７１と第２無線通信部２１４の通信の切断があったときの再送信の処理について設定を行うことができる。図１７は、その設定を行うために表示部２１に表示される通信切断時の送信設定画面Ｓ８を示す。
【０１４１】
使用者は、所定の操作を行うことにより、通信切断時の送信設定画面Ｓ８を表示させることができる。通信切断時の送信設定画面Ｓ８には、メール送信キーＫ１２や、代替送信先送信キーＫ１３や、再検出時送信キーＫ１４が配される。また、通信切断により送信未完了となったときに表示部２１にその旨を表示させるためのチェックボックスＣ４と、通信切断により送信未完了となったときに送信中であった特定情報ｉの印刷を行うためのチェックボックスＣ５も配される。
【０１４２】
メール送信キーＫ１２は、通信切断により送信未完了となった特定情報ｉを、通信切断された携帯通信装置２００のＥメールアドレス宛てに送信する設定とするためのキーである。制御部１は、タッチパネル部２２の出力に基づき、メール送信キーＫ１２の表示位置のタッチにより、通信切断時に送信未完了の特定情報ｉを携帯通信装置２００のＥメールアドレスに送信する設定がなされたことを認識する。
【０１４３】
通信切断時にＥメールアドレスに送信する設定がなされていると、制御部１は、通信切断が生じたとき、携帯通信装置２００に向けて（通信切断した携帯通信装置２００のＥメールアドレスを宛先として）、切断時の特定情報ｉを含むＥメールを通信部７に送信させる。これにより、使用者の携帯通信装置２００は、送信未完了の特定情報ｉをＥメールとして受信する。そして、使用者は、Ｅメールの中身を確認することで、特定情報ｉを認識できる。
【０１４４】
代替送信先送信キーＫ１３は、通信切断により送信未完了となった特定情報ｉを、通信切断された携帯通信装置２００の代替送信先に送信する設定とするためのキーである。制御部１は、タッチパネル部２２の出力に基づき、代替送信先送信キーＫ１３の表示位置のタッチにより、通信切断時に送信未完了の特定情報ｉを携帯通信装置２００の代替送信先送信に送信する設定がなされたことを認識する。
【０１４５】
通信切断時に代替送信先に送信する設定がなされていると、制御部１は、通信切断が生じたとき、携帯通信装置２００のから代替送信先のアドレスに向けて（通信切断した携帯通信装置２００の代替送信先を宛先として）、切断時に送信中であった特定情報ｉを通信部７に送信させる。代替送信先としては、使用者に割り当てられたコンピューター３００や、データサーバーなどを設定することができる。これにより、使用者は、代替送信先に送信された特定情報ｉを確認できる。
【０１４６】
再検出時送信キーＫ１４は、通信切断により送信未完了となった特定情報ｉを、再度、携帯通信装置２００を検出したとき送信する設定とするためのキーである。複合機１００は部署やフロアに設けられるので、いずれ、通信切断された携帯通信装置２００の所持者が複合機１００の第１無線通信部７１の通信エリアに戻ってくる可能性は高い。
【０１４７】
そして、通信切断した携帯通信装置２００を再検出したときに特定情報ｉを再送信する設定がなされていると、制御部１は、通信切断が生じたとき、切断時に送信中であった特定情報ｉを記憶部６に記憶させる。そして、制御部１は、切断時に送信中であった特定情報ｉを、通信切断した携帯通信装置２００を再検出したとき自動的に第１無線通信部７１に送信させる。これにより、使用者は、受信未完了であって特定情報ｉを最終的に確認できる。
【０１４８】
尚、メール送信キーＫ１２、代替送信先送信キーＫ１３、再検出時送信キーＫ１４は択一的ではない。言い換えると、通信切断があったとき、特定情報ｉをＥメールで送信する設定、代替送信先に送信する設定、再検出時に送信する設定は、何れか１つ、又は、複数組み合わせることができる。
【０１４９】
次に、各チェックボックスについて説明する。まず、各チェックボックスについては、チェックボックスの表示位置のタッチを繰り返すことで、チェックを入れたり、外したりすることができる。
【０１５０】
使用者は、通信切断により送信未完了となった場合、表示部２１にその旨を表示させるとき、チェックボックスＣ４にチェックを入れる。チェックボックスＣ４にチェックが入れられ、通信切断時、表示部２１に表示を行う設定がなされている状態で、特定情報ｉを送信中の携帯通信装置２００との通信が切断されると、制御部１は、切断により送信未完了である旨を表示部２１に表示させる。
【０１５１】
また、使用者は、通信切断により送信未完了となった場合、送信未完了の特定情報ｉを印刷させるとき、チェックボックスＣ５にチェックを入れる。チェックボックスＣ５にチェックが入れられ、通信切断時、送信未完了の特定情報ｉの印刷を行う設定がなされている状態で、特定情報ｉを送信中の携帯通信装置２００との通信が切断されると、制御部１は、切断により送信未完了である特定情報ｉを印刷部１０に印刷させる。
【０１５２】
（通信中断時の処理の流れ）
次に、図１８を用いて、通信切断時の処理の流れを説明する。図１８は、特定情報ｉの送信中に、携帯通信装置２００との通信が切断したときの処理の流れを示すフローチャートである。
【０１５３】
まず、図１８のスタートは、一定時間以上、特定情報ｉの送信中の携帯通信装置２００の存在を検出できなくなり、特定情報ｉの送信中の携帯通信装置２００との通信が切断された時点である。
【０１５４】
まず、制御部１は、携帯通信装置２００のＥメールアドレスに向けて、特定情報ｉをＥメールで送信すべきか否か（Ｅメール送信を行う設定がなされているか否か）を確認する（ステップ♯３１）。Ｅメール送信を行う設定がなされているとき（ステップ♯３１のＹｅｓ）、制御部１は、送信中に通信が切断した携帯通信装置２００のＥメールアドレスに、送信未完了部分の特定情報ｉ、又は、切断により送信未完了となった特定情報ｉの全てを含むＥメールを通信部７に送信させる（ステップ♯３２）。
【０１５５】
Ｅメール送信を行う設定がなされていないとき（ステップ♯３１のＮｏ）、及び、ステップ♯３２の後、制御部１は、携帯通信装置２００の切断時の代替送信先のアドレスに向けて、特定情報ｉを送信すべきか否か（代替送信先に送信を行う設定がなされているか否か）を確認する（ステップ♯３３）。代替送信先に送信未完了の特定情報ｉの送信を行う設定がなされているとき（ステップ♯３３のＹｅｓ）、制御部１は、送信中に通信が切断した携帯通信装置２００の代替送信先（複数あるときは複数の代替送信先）に、送信未完了部分の特定情報ｉ、又は、切断により送信未完了となった特定情報ｉの全てを通信部７に送信させる（ステップ♯３４）。
【０１５６】
代替送信先に送信を行う設定がなされていないとき（ステップ♯３３のＮｏ）、及び、ステップ♯３４の後、制御部１は、特定情報ｉの送信中に通信切断された携帯通信装置２００を再検出したとき、自動的に特定情報ｉを送信すべきか否か（携帯通信装置２００の再検出に送信を行う設定がなされているか否か）を確認する（ステップ♯３５）。切断により特定情報ｉの送信未完了の携帯通信装置２００を再検出したとき、再送信を行う設定がなされているとき（ステップ♯３５のＹｅｓ）、制御部１は、送信中に通信が切断した携帯通信装置２００を示す情報（携帯通信装置２００の名称やＭＡＣアドレス）を記憶部６に記憶させる（ステップ♯３６）。これにより、再検出したとき、送信中に通信が切断した携帯通信装置２００に、送信未完了部分の特定情報ｉ、又は、切断により送信未完了となった特定情報ｉの全てを自動的に特定情報ｉの再送信を行う設定がなされる。
【０１５７】
そして、制御部１は、チェックボックスＣ４、チェックボックスＣ５のチェックの有無を確認し、チェックの有無に応じ（必要に応じ）、制御部１は、特定情報ｉの送信中に通信が切断された旨の表示や、送信未完了部分の特定情報ｉ、又は、切断により送信未完了となった特定情報ｉの全ての印刷を行わせる（ステップ♯３７→エンド）。
【０１５８】
このようにして、本実施形態の画像形成装置（複合機１００）は、用紙に印刷を行う印刷部１０と、情報、データを記憶する記憶部６と、携帯通信装置２００と無線により通信し、通信エリア内の送信可能な携帯通信装置２００を自動的に検出する通信部７と、を含み、通信部７は、携帯通信装置２００を検出したとき、検出中の携帯通信装置２００に、記憶部６に記憶された情報のうち、予め定められた情報であり使用者の指示に基づき印刷される特定情報ｉを送信する。これにより、今までならば使用者の指示や入力に基づいて印刷されていた情報を携帯通信装置２００に出力する。そのため、今までならば使用者の指示や入力に基づいて印刷されていた情報を使用者の携帯通信装置２００で確認することができる。従って、使用者の指示や入力に基づいた情報の印刷をせずに済ますことができる場合があり、用紙、トナー、電力などの資源の消費を削減することができる。また、普段、普段あまり携帯通信装置２００を活用していない使用者に、携帯通信装置２００の活用を促すことができる。
【０１５９】
又、本実施形態の画像形成装置（複合機１００）は、特定情報ｉを、印刷部１０に印刷させる指示を行うための指示画面（情報印刷指示画面Ｓ１）を表示する表示部２１と、指示画面を表示させる操作と表示された指示画面での操作を受け付ける操作部（タッチパネル部２２、操作パネル２）と、を含み、通信部７が携帯通信装置２００を検出しているとき、表示部２１は、特定情報ｉを検出中の携帯通信装置２００に送信するため送信キー（送信キーＫ２）を指示画面に表示し、携帯通信装置２００を検出していないとき送信キーを表示せず、操作部は、送信キーへの操作による検出中の携帯通信装置２００への特定情報ｉの送信指示を受け付け、通信部７は、送信指示がなされると検出中の携帯通信装置２００に特定情報ｉを送信し、送信指示がなされなければ、携帯通信装置２００を検出していても特定情報ｉを携帯通信装置２００に送信せず、印刷部１０は、送信指示がなされた特定情報ｉを印刷しない。これにより、携帯通信装置２００の未検出状態では、特定情報ｉを携帯通信装置２００に送信できないような表示がなされ、携帯通信装置２００を検出中であると、表示は、特定情報ｉの携帯通信装置２００への送信を選択できるような表示に自動的に切り替わる。これにより、表示部２１の画面を見れば、携帯通信装置２００に特定情報ｉを送信できるか否か、瞬時に認識することができる。
【０１６０】
又、本実施形態の画像形成装置（複合機１００）は、特定情報ｉを、印刷部１０に印刷させる指示を行うための指示画面（ジョブリスト画面Ｓ２）を表示する表示部２１と、指示画面を表示させる操作と表示された指示画面での操作を受け付ける操作部（タッチパネル部２２、操作パネル２）と、を含み、表示部２１は、印刷待ちの印刷ジョブの一覧をリストとして表示するとともに、通信部７が携帯通信装置２００を検出しているとき、リストのうち、指示画面での印刷の実行指示を操作部で受け付けたことによる特定情報ｉを印刷する印刷ジョブの表示箇所に付して送信キー（送信キーＫ３）を表示し、通信部７が携帯通信装置２００を検出していないとき、リストに送信キーを表示せず、操作部は、送信キーへの操作による検出中の携帯通信装置２００への印刷待ちの特定情報ｉの送信指示を受け付け、通信部７は、送信指示がなされた印刷待ちの特定情報ｉを、検出中の携帯通信装置２００に送信し、送信指示がなされなければ、携帯通信装置２００を検出していても特定情報ｉを携帯通信装置２００に送信せず、印刷部１０は、送信指示がなされた印刷待ちの特定情報ｉを印刷しない。これにより、一旦、特定情報ｉの印刷が指示された後に、印刷を取りやめて、携帯通信装置２００への送信出力への切り替えを事後的に行うことができる。また、携帯通信装置２００の未検出状態では、特定情報ｉを携帯通信装置２００に送信できないような表示がなされ、携帯通信装置２００を検出中であると、特定情報ｉの携帯通信装置２００への送信を選択できるような表示に切り替わる。従って、表示部２１の画面を見れば特定情報ｉの印刷を取りやめて、携帯通信装置２００への特定情報ｉの送信に切り替えられるか否か、瞬時に認識することができる。
【０１６１】
又、本実施形態の画像形成装置（複合機１００）は、特定情報ｉを、印刷部１０に印刷させる指示を行うための指示画面（情報印刷指示画面Ｓ１、ジョブリスト画面Ｓ２）を表示する表示部２１と、指示画面を表示させる操作と表示された指示画面での特定情報ｉの印刷実行の指示を受け付ける操作部（タッチパネル部２２、操作パネル２）と、を含み、通信部７は、指示画面での特定情報ｉの印刷実行の指示の操作がなされると、印刷実行指示がなされるまで特定情報ｉを送信せず、指示画面での特定情報ｉの印刷実行の指示の操作がなされると、検出中の携帯通信装置２００に特定情報ｉを送信し、印刷部１０は、送信指示がなされた特定情報ｉを印刷しない。これにより、携帯通信装置２００に特定情報ｉを自動的に送信することができる。そして、使用者に特定情報ｉの印刷を行わないように仕向け、資源消費の抑制を強化することができる。
【０１６２】
又、操作部（タッチパネル部２２、操作パネル２）が指示画面（情報印刷指示画面Ｓ１、ジョブリスト画面Ｓ２）での特定情報ｉの印刷実行の指示を受け付けたとき、通信部７は、予め定められた条件が満たされているときのみ、印刷の実行が指示された特定情報ｉを検出中の携帯通信装置２００に送信し、予め定められた条件は、エラーにより印刷が停止していることと、特定情報ｉの印刷ジョブの前に実行待ちの印刷ジョブがあることの何れか一方、又は、両方とする。これにより、特定情報ｉが印刷されるまで時間がかかるときに、携帯通信装置２００に特定情報ｉを送信するよう設定することができる。従って、使用者が特定情報ｉを得るまでの時間を短くすることができる。
【０１６３】
又、通信部７は、検出した携帯通信装置２００から携帯通信装置２００のメールアドレスを取得し、携帯通信装置２００への特定情報ｉの送信が完了する前に通信が切断されたとき、特定情報ｉのうち切断による送信未完了部分の特定情報ｉ、又は、切断により送信未完了となった特定情報ｉの全てを含むメールを、所得しておいたメールアドレスに送信する。これにより、通信部７と携帯通信装置２００との通信が切断しても、使用者の携帯通信装置２００に、特定情報ｉの全てを到達させることができる。従って、無線通信の切断があっても、使用者（携帯通信装置２００）は、欠損が無い特定情報ｉを得られる。
【０１６４】
又、通信部７は、検出した携帯通信装置２００から１又は複数の代替送信先を取得し、携帯通信装置２００への特定情報ｉの送信が完了する前に通信が切断されたとき、特定情報ｉのうち切断による送信未完了部分の特定情報ｉ、又は、切断により送信未完了となった特定情報ｉの全てを、１つの又はそれぞれの代替送信先に送信する。通信部７と携帯通信装置２００との通信が切断しても、使用者が特定情報ｉを確認できるような代替送信先に特定情報ｉを送信することができる。そして、使用者に代替送信先で受信された特定情報ｉを閲覧できるようにすることができる。
【０１６５】
又、、記憶部６は、携帯通信装置２００への特定情報ｉの送信が完了する前に通信が切断されたとき、切断により送信未完了の特定情報ｉを記憶しておき、通信部７は、特定情報ｉの送信が未完了の携帯通信装置２００を再検出したとき、送信未完了の特定情報ｉを再検出した携帯通信装置２００に再送信する。これにより、通信部７と携帯通信装置２００との通信が切断しても、先の通信で送信しようとした特定情報ｉの全てが最終的に携帯通信装置２００で受信される。従って、使用者は、特定情報ｉの内容の全てを最終的には必ず確認することができる。
【０１６６】
又、印刷部１０は、携帯通信装置２００への特定情報ｉの送信が完了する前に通信が切断されたとき、特定情報ｉのうち切断による送信未完了部分の特定情報ｉ、又は、切断により送信未完了となった特定情報ｉの全てを、印刷する。これにより、携帯通信装置２００への送信がなされたものの到達しなかった場合に、特定情報ｉが印刷される。従って、特定情報ｉの内容の確認漏れを防ぐことができる。しかも、特定情報ｉが印刷されるのは、通信切断の場合に限られる。
【０１６７】
又、携帯通信装置２００への特定情報ｉの送信が完了する前に通信が切断されたとき、表示部２１は、特定情報ｉの送信が未完了である旨を表示する。これにより、表示により、特定情報ｉの送信が未完了であることを使用者に報知することができる。
【０１６８】
又、操作部（タッチパネル部２２、操作パネル２）は、携帯通信装置２００を登録する設定を受け付け、記憶部６は、登録された携帯通信装置２００を示すデータを記憶し、通信部７は、検出中の携帯通信装置２００のうち、予め登録された携帯通信装置２００に向けて特定情報ｉを送信する。これにより、予め登録され、特定情報ｉを送信しても問題がない携帯通信装置２００に対してのみ、特定情報ｉを送信することができる。従って、必要のない携帯通信装置２００で特定情報ｉが受信、表示されないようにすることができる。
【０１６９】
又、操作部（タッチパネル部２２、操作パネル２）は、複数の検出された携帯通信装置２００のなかから何れの携帯通信装置２００に特定情報ｉを送信するかを選択する入力を受け付け、通信部７は、複数の検出中の携帯通信装置２００のうち、選択された携帯通信装置２００に特定情報ｉを送信する。これにより、使用者が所望する携帯通信装置２００に特定情報ｉを送信することができる。
【０１７０】
又、記憶部６は、使用者が所持する携帯通信装置２００を示すデータを含みログインのため使用者を認証するための複数人分の認証用データＤ１を記憶し、操作部（タッチパネル部２２、操作パネル２）は、使用者を識別するための識別用入力を受け付け、通信部７は、入力された識別用入力の内容と、認証用データＤ１を照合することでログイン中の使用者が所持する携帯通信装置２００を認識し、認識した携帯通信装置２００に向けて特定情報ｉを送信する。これにより、特定情報ｉを出力する操作を行った使用者の携帯通信装置２００に特定情報ｉを送信することができる。従って、関係ない使用者の携帯通信装置２００に向けて特定情報ｉを送信しないようにすることができる。
【０１７１】
又、特定情報ｉは、画像形成装置（複合機１００）の状態を示す情報、画像形成装置のジョブの履歴を示す情報、若しくは、画像データの送信先として記憶部６に記憶された複数の送信先情報の何れか１つ、又は、複数である。これにより、従来であれば、使用者が印刷指示の操作を行うことにより印刷により出力されていた情報を、携帯通信装置２００に向けて出力することができる。従って、従来、用紙に印刷されていた情報を携帯通信装置２００で確認するようにすることができ、資源の無駄を無くすことができる。また、携帯通信装置２００を有効活用することができる。
【０１７２】
又、通信システム５００は、実施形態に係る画像形成装置（複合機１００）と、画像形成装置の通信部７と送信可能な携帯通信装置２００を含む。今までならば使用者の指示や入力に基づいて印刷されていた情報を、携帯通信装置２００に送信出力することで、資源の削減を図ることができる通信システム５００を提供することができる。また、従来よりも、画像形成装置（複合機１００）と携帯通信装置２００の連携を図ることで、携帯通信装置２００の活用を促すことができる通信システム５００を提供することができる。
【０１７３】
又、本実施形態の発明は携帯通信装置２００の制御方法の発明として捉えることもできる。具体的に、携帯通信装置２００の制御方法は、携帯通信装置２００に、実施形態に係る画像形成装置（複合機１００）から特定情報ｉを受信させ、受信した特定情報ｉを携帯通信装置２００のディスプレイ２０５に表示させる。従って、画像形成装置（複合機１００）から送信された特定情報ｉを携帯通信装置２００で受信し、携帯通信装置２００で特定情報ｉの内容を確認することができる。従って、特定情報ｉを印刷する手間が省け、消費される資源を抑制することができる。また、携帯通信装置２００を有効活用することができる。
【０１７４】
又、本実施形態の携帯通信装置２００の制御方法は、携帯通信装置２００の受付部に、画像形成装置（複合機１００）に特定情報ｉの送信の条件を受け付けさせ、画像形成装置に向けて、受け付けた条件の内容を携帯通信装置２００に送信させ、画像形成装置に送信した条件が満たされたとき特定情報ｉを携帯通信装置２００に送信させる。これにより、特定情報ｉを送信先などの条件を携帯通信装置２００で設定することができる。
【０１７５】
又、本発明の実施形態を説明したが、本発明の範囲はこれに限定されるものではなく、発明の主旨を逸脱しない範囲で種々の変更を加えて実施することができる。
【産業上の利用可能性】
【０１７６】
本発明は、携帯通信装置と近距離の無線通信を行う通信部を含む画像形成装置に利用可能である。また、この画像形成装置と携帯通信装置を含む通信システムや、携帯通信装置の制御方法にも利用可能である。
【符号の説明】
【０１７７】
１００  複合機（画像形成装置）          １      制御部
２      操作パネル（操作部）            ２１    表示部
２２    タッチパネル部（操作部）        ６      記憶部
１０    印刷部                          ７      通信部
７１    第１無線通信部（通信部）        ２００  携帯通信装置
２１４  第２無線通信部                  ５００  通信システム
Ｄ１    認証用データ                    Ｋ２    送信キー
Ｋ３    送信キー                        ｉ      特定情報
ｉ１    ステータス情報（特定情報）
ｉ２    ネットワークステータス情報（特定情報）
ｉ３    収録フォント情報（特定情報）    ｉ４    アドレス帳情報（特定情報）
ｉ５    ジョブ履歴情報（特定情報）      Ｓ１    情報印刷指示画面（指示画面）
Ｓ２    ジョブリスト画面（指示画面）
【図１】
0006014562.tif 000002
【図２】
0006014562.tif 000003
【図３】
0006014562.tif 000004
【図４】
0006014562.tif 000005
【図５】
0006014562.tif 000006
【図６】
0006014562.tif 000007
【図７】
0006014562.tif 000008
【図８】
0006014562.tif 000009
【図９】
0006014562.tif 000010
【図１０】
0006014562.tif 000011
【図１１】
0006014562.tif 000012
【図１２】
0006014562.tif 000013
【図１３】
0006014562.tif 000014
【図１４】
0006014562.tif 000015
【図１５】
0006014562.tif 000016
【図１６】
0006014562.tif 000017
【図１７】
0006014562.tif 000018
【図１８】
0006014562.tif 000019